(57)【特許請求の範囲】
【請求項１】
前壁(1)に両方の側壁(2)との稜部間に及ぶ前切線(10)を入れると共に、側壁(2)に前切線(10)から続いて後上方へ延びる側切線(11)を入れ、開封に際して、前切線(10)及び側切線(11)を切断し、その上方部分を除去する易開封包装箱において、
側壁(2)には、側切線(11)に臨む指入部(12)を設け、指入部(12)から前上方へ斜めに延びる第一山折線(13)を入れると共に、第一山折線(13)が側壁(2)の上端部に達する付近から前下方へ斜めに延びる谷折線(14)を入れ、谷折線(14)が側切線(11)の上方で前壁(1)と側壁(2)の稜部へ向かうものとし、
側壁(2)の上端に連なる天面には、第一山折線(13)が側壁(2)の上端部に達する付近から内側へ山折線(7a)を入れ、側壁(2)と天面の稜部において、第一山折線(13)と谷折線(14)と前記天面の山折線(7a)の延長線が１点で交わることを特徴とする易開封包装箱。
【請求項２】
請求項１に記載の易開封包装箱において、側壁(2)には、谷折線(14)の前端付近から側切線(11)へ向けて後下方へ斜めに延びる第二山折線(15)を入れたことを特徴とする易開封包装箱。
【請求項３】
請求項１又は２に記載の易開封包装箱において、前壁(1)の上端に蓋板(8)を連設し、側壁(2)の上端から延出した蓋受片(7)を内側へ折り曲げ、蓋受片(7)に蓋板(8)を重ね、蓋板(8)の先端の差込片(9)を後壁(3)の内面と蓋受片(7)の間に差し込んで封緘する構成とし、蓋受片(7)には、第一山折線(13)が側壁(2)の上端部に達する付近から先端へかけて山折線(7a)を入れたことを特徴とする易開封包装箱。
【発明の詳細な説明】
【技術分野】
【０００１】
この発明は、切断により容易に開封して、商品の展示形態とすることができる包装箱に関するものである。
【背景技術】
【０００２】
従来、商品の包装及び展示に使用する包装箱として、下記特許文献１には、図５に示すような包装箱が記載されている。この包装箱は、前壁５１に両方の側壁５２との稜部間に及ぶ前切線５３を入れると共に、側壁５２に前切線５３から続いて後上角へ斜めに延びる側切線５４を入れ、開封に際して、前切線５３及び側切線５４を切断し、後面と天面の稜部を切り離して、前切線５３及び側切線５４の上方部分を除去するものである。
【０００３】
この包装箱の前壁５１は、内前板５５と外前板５６とを重ね合わせた二重構造とされ、内前板５５の下部を前切線５３が横切り、内前板５５と外前板５６とは、前切線５３の上方で貼り合わされている。また、外前板５６の下部には、開封時に摘んで引き上げる摘み部５７が切り込みを入れて形成されている。
【先行技術文献】
【特許文献】
【０００４】
【特許文献１】米国特許第８３４２３３５号明細書
【発明の概要】
【発明が解決しようとする課題】
【０００５】
ところが、上記包装箱は、開封に際して、摘み部５７を摘んで引き上げるだけでは、前切線５３及び側切線５４を切断することが難しく、前壁５１及び一対の側壁５２を個別に押して、前切線５３及び側切線５４を切断するような作業が必要となることがある。
【０００６】
このような作業が必要となると、店頭での展示作業に手間がかかり、商品の製造元が意図するような形態の展示が行われない場合がある。
【０００７】
そこで、この発明は、容易に開封して商品を展示できる易開封包装箱を提供しようとするものである。
【課題を解決するための手段】
【０００８】
上記課題を解決するため、この発明は、前壁に両方の側壁との稜部間に及ぶ前切線を入れると共に、側壁に前切線から続いて後上方へ延びる側切線を入れ、開封に際して、前切線及び側切線を切断し、その上方部分を除去する易開封包装箱において、側壁には、側切線に臨む指入部を設け、指入部から前上方へ斜めに延びる第一山折線を入れると共に、第一山折線が側壁の上端部に達する付近から前下方へ斜めに延びる谷折線を入れ、谷折線が側切線の上方で前壁と側壁の稜部へ向かうものとし、開封時に側壁を膨らむように撓ませることとしたのである。
【０００９】
また、側壁には、谷折線の前端付近から側切線へ向けて後下方へ斜めに延びる第二山折線を入れ、開封時に側壁が撓みやすくなるようにしたのである。
【００１０】
また、前壁の上端に蓋板を連設し、側壁の上端から延出した蓋受片を内側へ折り曲げ、蓋受片に蓋板を重ね、蓋板の先端の差込片を後壁の内面と蓋受片の間に差し込んで封緘する構成とし、蓋受片には、第一山折線が側壁の上端部に達する付近から先端へかけて山折線を入れ、開封時に天面が撓みやすくすると共に、天面と後面の稜部を切断せずに開封できるようにしたのである。
【発明の効果】
【００１１】
この発明に係る易開封包装箱では、側壁の指入部から指を挿入して、指入部に臨む第一山折線の近傍を外側へ引っ張り、側壁を第一山折線及び谷折線に沿って膨らむように撓ませるだけで、側切線が切断されると同時に、両方の側壁の谷折線の各端部をそれぞれ結ぶ軸線間の部分を前下がりに傾ける力が作用し、前壁と側壁の稜部から前切線が切断されるので、容易に開封して、商品の展示状態とすることができる。
【図面の簡単な説明】
【００１２】
【図１】この発明の実施形態に係る易開封包装箱のブランクを示す図
【図２】同上の包装状態を示す斜視図
【図３】同上の開封過程を示す斜視図
【図４】同上の開封後の上下分離状態を示す斜視図
【図５】特許文献１に係る包装箱の開封過程を示す斜視図
【発明を実施するための形態】
【００１３】
以下、この発明の実施形態を添付図面に基づいて説明する。
【００１４】
この易開封包装箱は、図1に示す段ボールのブランクから形成される。このブランクでは、段ボールの段目が縦向きとなり、前壁１の一方の側端に側壁２、後壁３及び側壁２が順次連設され、前壁１の他方の側端に継代片４が連設されている。一対の側壁２の下端には側縁が斜めに切断された底板５が、前壁１及び後壁３の下端には片側に斜め方向の折目線を有する底板６がそれぞれ連設されている。また、一対の側壁２の上端には蓋受片７が連設され、前壁１の上端には蓋板８及び差込片９が順次連設されている。
【００１５】
そして、組立状態の方向で説明すると、前壁１には、高さ方向の中間下部に、側壁２との稜部となる両方の側端間に亘って、切目と繋部とが交互に断続するミシン目状の前切線１０が入れられている。前切線１０の中間部は一段低くなっており、その中央部上方に臨んで、押込可能な一対の舌片を形成する切込により補助指入部１０ａが設けられている。また、継代片４には、前切線１０へ続く切込が入れられている。
【００１６】
側壁２には、前切線１０から続いて後上方へ延びるように、側切線１１が入れられている。側切線１１は、水平方向からやや斜め上方へ向きを変えた後、上方へ湾曲して側壁２の上端へ至り、蓋受片７との境界に沿って後壁３との境界へ達している。
【００１７】
また、側壁２には、側切線１１の湾曲した中間部分に臨んで、押込可能な舌片を形成する切込により指入部１２が設けられ、指入部１２は、先端側が前上方へ向いている。側切線１１の指入部１２の近傍は、開封時における側切線１１から逸脱した破断を防止するため、鉤状の切目が断続するジッパー型切目線とされ、他の部分は、切目と繋部とが交互に断続するミシン目状とされている。
【００１８】
また、側壁２には、指入部１２から側壁２の上端部へかけて前上方へ斜めに延びる第一山折線１３が入れられ、蓋受片７には、第一山折線１３が側壁２の上端部に達する付近から先端へかけて山折線７ａが入れられている。
【００１９】
また、側壁２には、第一山折線１３が側壁２の上端部に達する付近から前下方へ斜めに延びる谷折線１４が入れられ、谷折線１４は、側切線１１の上方で前壁１と側壁２の稜部に達するものとされている。
【００２０】
さらに、側壁２には、谷折線１４の前端付近から側切線１１へかけて後下方へ斜めに延びる第二山折線１５が入れられ、継代片４にも、谷折線１４及び第二山折線１５に対応する位置に押罫線が入れられている。
【００２１】
上記第一山折線１３、山折線７ａ及び第二山折線１５は、開封時に段ボールの表面側が凸となる方向へ折れ曲がるように、段ボールの裏面側から押圧した押罫線とされ、谷折線１４は、開封時に段ボールの表面側が凹む方向へ折れ曲がるように、段ボールの表面側から押圧した逆罫線とされている。
【００２２】
このようなブランクは、前壁１と一方の側壁２の境界に沿って折り重ねると共に、後壁３と他方の側壁２の境界に沿って折り重ね、継代片４を他方の側壁２の端部に貼り付け、また、底板６を斜め方向の折目線に沿って折り返した状態で、その折返部を底板５に貼り付けて、偏平な折畳状態としておく。
【００２３】
そして、商品を収納する際には、図２に示すように、前壁１、一対の側壁２及び後壁３から角筒状の周壁を形成し、各一対の底板５，６から底壁を形成して、商品を上部開口から収納した後、蓋受片７を内側へ折り曲げ、蓋板８を後方へ折り曲げて蓋受片７に重ね、差込片９を後壁３の内面と蓋受片７の間に差し込んで封緘する。
【００２４】
一方、店頭で商品を展示する際には、図３に示すように、側壁２の指入部１２から指を挿入して、指入部１２に臨む第一山折線１３の近傍を外側へ引っ張り、側壁２を第一山折線１３、谷折線１４及び第二山折線１５に沿って膨らむように撓ませる。
【００２５】
これに伴い、側切線１１が切断されると同時に、両方の側壁２の谷折線１４の各端部をそれぞれ結ぶ軸線Ａ，Ｂ間の部分を前下がりに傾ける力が作用し、前壁１と側壁２の稜部から前切線１０が切断されるので、容易に開封できる。前切線１０が完全に切断されない場合には、補助指入部１０ａに指を入れて、前壁１を外側へ膨らむように撓ませる。
【００２６】
そして、図４に示すように、前壁１及び側壁２を前切線１０及び側切線１１に沿って上下に分割し、差込片９を後壁３の内面に重なる状態から上方へ引き離すと、トレイ部分２１とカバー部分２２とに分離され、前方へかけて大きく開口したトレイ部分２１から商品を露出させて展示することができる。
【００２７】
その後、カバー部分２２は、貼付部分を剥がしたりすることなく、偏平に解体して、廃棄することができる。
【００２８】
なお、上記実施形態では、天面と後面の稜部を切断せずに開封できるように、前壁１の上端に蓋板８を連設したものを例示したが、後壁３の上端に蓋板８を連設し、蓋板８の先端の差込片９を前壁１の内面と蓋受片７の間に差し込むようにしたり、前壁１及び後壁３の上端に連設したフラップと、一対の側壁２の上端に連設したフラップとを貼り合わせて封緘するようにしてもよい。この場合、後壁３とその上端に連なる蓋板８又はフラップの稜部に、開封用の切目線を入れておく必要がある。
【００２９】
また、指入部１２及び補助指入部１０ａとして、切込による舌片を押し込むものを例示したが、これらは、切り起こしによる舌片を引っ張るものとしてもよく、舌片のない単なる指入用の穴としてもよい。
【００３０】
また、側壁２に第二山折線１５を入れたものを例示したが、材質が撓みやすいものである場合、第二山折線１５は省略してもよい。
【符号の説明】
【００３１】
１  前壁
２  側壁
３  後壁
４  継代片
５，６  底板
７  蓋受片
７ａ  山折線
８  蓋板
９  差込片
１０  前切線
１０ａ  補助指入部
１１  側切線
１２  指入部
１３  第一山折線
１４  谷折線
１５  第二山折線
２１  トレイ部分
２２  カバー部分
Ａ，Ｂ  軸線
【図１】
0006377509.tif 000002
【図２】
0006377509.tif 000003
【図３】
0006377509.tif 000004
【図４】
0006377509.tif 000005
【図５】
0006377509.tif 000006